(57)【要約】      （修正有）【課題】列方向束配線の幅および行方向束配線の幅の設計自由度が高いタッチスクリーンを提供する。【解決手段】列方向束配線と行方向束配線との交差領域に、検出用列配線２および第１のフローティング配線３Ｆが配設される列配線ブロック領域と、検出用行配線３、および第２のフローティング配線２Ｆが配設される行配線ブロック領域とが千鳥配置される。列方向束配線は、斜め方向に隣り合う列配線ブロック領域の検出用列配線２の間を接続させる検出用列配線２が配設された第１の補間領域ＣＣ１、ＣＣ２を含み、行方向束配線は、斜め方向に隣り合う行配線ブロック領域の検出用行配線３の間を電気的に接続させる検出用行配線３が配設された第２の補間領域ＣＲ１、ＣＲ２を含む。【選択図】図４
2015082280.tif 000002
【特許請求の範囲】
【請求項１】
透明基板と、
前記透明基板上に形成され、電気的に共通に接続された複数の検出用列配線を含む列方向束配線、および、電気的に共通に接続された複数の検出用行配線を含む行方向束配線と、
前記検出用行配線と同じ配線層に形成され、前記検出用列配線および前記検出用行配線と非接続である第１フローティング配線と、
前記検出用列配線と同じ配線層に形成され、前記検出用列配線および前記検出用行配線と非接続である第２フローティング配線と、
を備え、
前記列方向束配線と前記行方向束配線とが交差する領域には、
前記列方向束配線を構成する前記検出用列配線、および前記第１フローティング配線が配設される列配線ブロック領域と、
前記行方向束配線を構成する前記検出用行配線、および前記第２フローティング配線が配設される行配線ブロック領域とが、
千鳥配置されており、
前記列方向束配線は、
斜め方向に隣り合う前記列配線ブロック領域の前記検出用列配線の間を電気的に接続させるように配置された前記検出用列配線、および前記第１フローティング配線が配設された第１の補間領域を含んでおり、
前記行方向束配線は、
斜め方向に隣り合う前記行配線ブロック領域の前記検出用行配線の間を電気的に接続させるように配置された前記検出用行配線、および前記第２フローティング配線が配設された第２の補間領域を含んでいる、
ことを特徴とするタッチスクリーン。
【請求項２】
前記第１の補間領域の一部には、前記第１フローティング配線が配設されており、
前記第２の補間領域の一部には、前記第２フローティング配線が配置されている
請求項１に記載のタッチスクリーン。
【請求項３】
前記第１の補間領域の前記検出用列配線は、斜め方向に隣り合う前記列配線ブロック領域の前記検出用列配線の間を電気的に接続させるのに必要な箇所以外は、前記第１フローティング配線に置き換えられおり、
前記第２の補間領域の前記検出用行配線は、斜め方向に隣り合う前記行配線ブロック領域の前記検出用行配線の間を電気的に接続させるのに必要な箇所以外は、前記第２フローティング配線に置き換えられている
請求項２に記載のタッチスクリーン。
【請求項４】
前記列配線ブロック領域は、四隅に前記検出用列配線が配設された矩形状であり、
前記行配線ブロック領域は、四隅に前記検出用行配線が配設された矩形状である
請求項１から請求項３のいずれか一項に記載のタッチスクリーン。
【請求項５】
請求項１から請求項４のいずれか一項に記載のタッチスクリーンと、
複数の前記検出用列配線の各々、および、複数の前記検出用行配線の各々を順次に選択するスイッチ回路と、
前記スイッチ回路により選択された前記検出用列配線と、前記タッチスクリーンをタッチした指示体との間に形成される静電容量、および、前記スイッチ回路により選択された前記検出用行配線と、前記指示体との間に形成される静電容量の検出結果に基づいて、前記指示体のタッチ位置を算出する検出処理回路と、
を備えるタッチパネル。
【請求項６】
請求項１から請求項４のいずれか一項に記載のタッチスクリーンと、
複数の前記検出用列配線の各々、および、複数の前記検出用行配線の各々を順次に選択するスイッチ回路と、
前記タッチスクリーンへの指示体のタッチに応じた、前記スイッチ回路により選択された前記検出用列配線と前記検出用行配線との間の相互容量の変化の検出結果に基づいて、前記指示体のタッチ位置を算出する検出処理回路と、
を備えるタッチパネル。
【請求項７】
請求項５または請求項６に記載のタッチパネルと、
前記タッチパネルの前記タッチスクリーンが装着される表示パネルと、
を備える表示装置。
【請求項８】
前記タッチスクリーンは、前記表示パネルの前面側に粘着固定される、
請求項７に記載の表示装置。
【発明の詳細な説明】
【技術分野】
【０００１】
本発明は、タッチスクリーン、タッチパネルおよびそれを備える表示装置に関するものである。
【背景技術】
【０００２】
指などの指示体によるタッチを検出し、そのタッチ位置の座標を特定するタッチパネルが、優れたインターフェース手段の一つとして注目されている。現在では、抵抗膜方式や静電容量方式など、様々な方式のタッチパネルが製品化されている。
【０００３】
静電容量方式のタッチパネルの一種に、下記の特許文献１に開示されている投影型静電容量（Projected Capacitive）方式のタッチパネルがある（例えば、下記の特許文献１〜４）。投影型静電容量方式のタッチパネルは、タッチセンサを内蔵したタッチスクリーンの前面側に、数ｍｍ厚程度のガラス板等からなる保護板が設けられていてもタッチの検出が可能であり、堅牢性に優れる点、手袋装着時でもタッチを検出可能である点、および稼動部がなく長寿命である点などの利点を有している。
【０００４】
特許文献１に開示のタッチパネルを構成するタッチスクリーンは、静電容量を検出するための検出用配線（検出電極）として、薄い導電膜で形成された第１シリーズの導体エレメントと、第１シリーズの導体エレメント上に絶縁膜を介して形成された第２シリーズの導体エレメントとを備えている。各導体エレメント間には電気的接触はなく、複数の交点が形成されている。特許文献１のタッチパネルでは、指などの指示体と導体エレメントとの間に形成される静電容量を検出することによって、指示体がタッチした位置の座標が特定される。さらに、１以上の導体エレメントの検出容量の相対値を用いて、導体エレメント間のタッチ位置を補間可能となっている。
【０００５】
特許文献２に開示のタッチパネルを構成するタッチスクリーンでは、列方向に延在する検出用列配線および行方向に延在する検出用行配線が、それぞれ列方向または列方向に対し４５°で傾斜した傾斜部分をもつジグザグパターンの金属配線で形成されている。特許文献２のタッチスクリーンによれば、検出用配線間の寄生容量を増大させずに配線密度を高め、タッチの検出感度を向上させることが可能である。
【０００６】
特許文献３に開示のタッチパネルを構成するタッチスクリーンは、特許文献２のタッチスクリーンと同様に、ジグザグパターンに形成された検出用列配線および検出用行配線を備えており、さらに、検出用列配線と検出用行配線とで囲まれる領域にそれらから電気的に絶縁された孤立配線を設けた構成となっている。
【０００７】
特許文献４に開示のタッチパネルを構成するタッチスクリーンは、複数の検出用列配線の束である列方向束配線と検出用行配線の束である行方向束配線とが交差する領域が、検出用列配線のみが配設されるブロック領域（列配線ブロック領域）と検出用行配線のみを配設されるブロック領域（行配線ブロック領域）とに分割された構成を有している。この構成によれば、検出用列配線と検出用行配線とが重なる面積が少なくなり、検出用列配線と検出用行配線との間に形成される寄生容量（配線間容量）が低減されるため、タッチの検出感度を高めることができる。また、検出用列配線および検出用行配線を不透明な高導電性材料で形成した場合でも、表示パネルからタッチスクリーンに入射する表示光の透過率を均一化でき、タッチパネルの画面にモアレ縞が発生することを抑制できる。
【先行技術文献】
【特許文献】
【０００８】
【特許文献１】特表平９−５１１０８６号公報
【特許文献２】特開２０１０−６１５０２号公報
【特許文献３】特開２０１０−９７５３６号公報
【特許文献４】特開２０１３−８０３２８号公報
【発明の概要】
【発明が解決しようとする課題】
【０００９】
特許文献２および特許文献４のタッチスクリーンでは、列方向束配線と行方向束配線とが交差する領域が、列配線ブロック領域と行配線ブロック領域とに分割され、それら列配線ブロック領域と行配線ブロック領域とが、列方向および行方向に交互に配置されてチェッカーパターンを成している。すなわち、列配線ブロック領域と行配線ブロック領域がそれぞれ千鳥配置されている。
【００１０】
検出用列配線と検出用行配線とは互いに別の配線層で形成されるため、例えば、検出用列配線の幅と検出用行配線の幅に差があると、表示光の透過率や外光の反射率、更には透過光および反射光の波長スペクトルに差が生じるおそれがある。そのため、特許文献４では、列配線ブロック領域の検出用列配線の一部を検出用行配線と同層のフローティング配線に置き換え、また、行配線ブロック領域の検出用行配線の一部を検出用列配線と同層のフローティング配線で置き換えることによって、パターンの繰り返し周波数（繰り返し回数）を高くし、モアレ縞を視認されにくくすることが提案されている。
【００１１】
ただし、列配線ブロック領域を千鳥配置する場合、斜め方向に隣り合う列配線ブロック領域の検出用列配線を電気的に接続させるために、各列配線ブロック領域の四隅には、フローティング配線ではなく検出用列配線を配置する必要がある。同様に、行配線ブロック領域を千鳥配置する場合、斜め方向に隣り合う行配線ブロック領域の検出用行配線を電気的に接続させるために、各行配線ブロック領域の四隅には、フローティング配線ではなく検出用行配線を配置する必要がある。
【００１２】
例えば、列配線ブロック領域内における検出用列配線とフローティング配線による繰り返しパターンのピッチをＰとすると、列配線ブロック領域の四隅を検出用列配線にするためには、列配線ブロック領域の幅を、Ｐ／２×（２Ｎ＋１）にする必要がある（Ｎは整数）。同様に、行配線ブロック領域内における検出用行配線とフローティング配線による繰り返しパターンのピッチをＰとすると、行配線ブロック領域の四隅を検出用行配線にするためには、行配線ブロック領域の幅を、Ｐ／２×（２Ｎ＋１）にする必要がある。そのため、列方向束配線の幅および行方向束配線の幅は、繰り返しパターンのピッチＰに基づいた離散した値にしか設計できず、それらの幅を自由に決めることができない。
【００１３】
従って、チェッカーパターンを成す列配線ブロック領域と行配線ブロック領域とを有するタッチスクリーンでは、タッチの検出領域（センサ領域）のサイズを自由に決めることができず、表示パネルの画面サイズに合わせてタッチスクリーンのセンサ領域のサイズを調整することが困難であった。
【００１４】
本発明は以上のような課題を解決するためになされたものであり、列方向束配線の幅および行方向束配線の幅の設計自由度が高いタッチスクリーンを提供することを目的とする。
【課題を解決するための手段】
【００１５】
本発明に係るタッチスクリーンは、透明基板と、前記透明基板上に形成され、電気的に共通に接続された複数の検出用列配線を含む列方向束配線、および、電気的に共通に接続された複数の検出用行配線を含む行方向束配線と、前記検出用行配線と同じ配線層に形成され、前記検出用列配線および前記検出用行配線と非接続である第１フローティング配線と、前記検出用列配線と同じ配線層に形成され、前記検出用列配線および前記検出用行配線と非接続である第２フローティング配線と、を備え、前記列方向束配線と前記行方向束配線とが交差する領域には、前記列方向束配線を構成する前記検出用列配線、および前記第１フローティング配線が配設される列配線ブロック領域と、前記行方向束配線を構成する前記検出用行配線、および前記第２フローティング配線が配設される行配線ブロック領域とが、千鳥配置されており、前記列方向束配線は、斜め方向に隣り合う前記列配線ブロック領域の前記検出用列配線の間を電気的に接続させるように配置された前記検出用列配線、および前記第１フローティング配線が配設された第１の補間領域を含んでおり、前記行方向束配線は、斜め方向に隣り合う前記行配線ブロック領域の前記検出用行配線の間を電気的に接続させるように配置された前記検出用行配線、および前記第２フローティング配線が配設された第２の補間領域を含んでいる。
【発明の効果】
【００１６】
本発明によれば、列方向束配線および行方向束配線に補間領域を含ませることで、列方向束配線および行方向束配線の幅の設計自由度が向上し、タッチスクリーンのセンサ領域のサイズを調整することが可能となる。したがって、タッチスクリーンのセンサ領域のサイズを、表示パネルの画面サイズに応じたものとすることが容易になる。
【図面の簡単な説明】
【００１７】
【図１】タッチスクリーンを備えるタッチパネルの全体構成を示す図である。
【図２】本発明の実施の形態に係るタッチスクリーンの構成を示す平面図である。
【図３】タッチスクリーンの配線構造を説明するための断面図である。
【図４】列方向束配線と行方向束配線との交差領域の一部を拡大した平面図である。
【図５】列配線ブロック領域および列配線ブロック領域を構成する繰り返しパターンを示す図である。
【図６】補間領域の幅をＰ（繰り返しパターンのピッチ）とした場合における、列方向束配線と行方向束配線との交差領域の構成を示す図である。
【図７】補間領域の幅をＰ／２（繰り返しパターンのピッチの半分）とした場合における、列方向束配線と行方向束配線との交差領域の構成を示す図である。
【発明を実施するための形態】
【００１８】
図１は、本発明の実施の形態に係るタッチスクリーン１０を備えるタッチパネル１００の全体構成を模式的に示した図である。タッチパネル１００は、タッチスクリーン１０に、ＦＰＣ（Flexible Printed Circuit）１１を介して、スイッチ回路１２および検出処理回路１３を搭載したコントローラ基板１４が接続されて構成される。なお、タッチパネル１００が表示装置に組み込まれる場合、タッチスクリーン１０は表示装置の表示パネルの前面に粘着固定される。
【００１９】
タッチスクリーン１０において、指などの指示体によるタッチを検出するセンサ領域には、検出用配線群（列方向束配線２０および行方向束配線３０）が配設されており、ＦＰＣ１１は、それら検出用配線群をスイッチ回路１２に電気的に接続させる。図１での図示は省略するが、列方向束配線２０は、列方向（ｙ方向）に延在する複数の検出用列配線の束であり、行方向束配線３０は、行方向（ｘ方向）に延在する複数の検出用行配線の束である。
【００２０】
スイッチ回路１２は、複数の列方向束配線２０の各々、および、複数の行方向束配線３０の各々を順次に選択する機能を有している。検出処理回路１３は、タッチスクリーン１０をタッチした指示体のタッチ位置を示すタッチスクリーン１０におけるタッチ座標を検出する機能を有している。
【００２１】
図２は、タッチスクリーン１０の構成を模式的に示す平面図である。また、図３は当該タッチスクリーン１０の配線構造を示す断面図である。図４は、列方向束配線２０と行方向束配線３０とが交差する領域（図２における領域Ａ）の一部を拡大した平面図である。
【００２２】
タッチスクリーン１０は、透明なガラス材料または透明な樹脂からなる透明基板であるベース基板１上に、列方向に延在する複数の列方向束配線２０と、行方向に延在する複数の行方向束配線３０とが、交差するように配設された構成を有している。
【００２３】
列方向束配線２０のそれぞれは、複数の検出用列配線２からなる矩形状のパターンである。同じ行方向束配線３０に属する検出用行配線３は、接続用配線４などによって電気的に共通に接続されている。同様に、行方向束配線３０のそれぞれは複数の検出用行配線３からなる矩形状のパターンである。同じ列方向束配線２０に属する検出用列配線２は、接続用配線５などによって電気的に共通に接続されている。
【００２４】
図３に示すように、列方向束配線２０を構成する検出用列配線２は、ベース基板１上に形成されている。検出用列配線２は絶縁膜９１で覆われており、検出用行配線３は絶縁膜９１の上に配設される。従って、検出用列配線２と検出用行配線３との間は電気的に分離されている。さらに、検出用行配線３は絶縁膜９２で覆われている。
【００２５】
列方向束配線２０および行方向束配線３０は、引き出し配線６，７によって、ベース基板１の端部に設けられた端子８に接続されている。端子８には、ＦＰＣ１１（図１）が接続される。
【００２６】
ここで、タッチパネル１００において指示体のタッチ座標を検出する方式としては、自己容量検出方式および相互容量検出方式が考えられる。自己容量検出方式は、指示体がタッチスクリーン１０のベース基板１の表面をタッチしたときに、各検出用列配線２と指示体との間に形成される静電容量と、各検出用行配線３と指示体との間に形成される静電容量とを検出することにより、タッチ座標を検出する方式である。相互容量検出方式は、指示体がタッチスクリーン１０のベース基板１の表面をタッチしたときに生じる、タッチ位置における検出用列配線２と検出用行配線３との間の静電容量（相互容量）の変化を検出することにより、タッチ座標を検出する方式である。
【００２７】
したがって、自己容量検出方式のタッチパネル１００の場合、図１に示した検出処理回路１３は、スイッチ回路１２により選択された列方向束配線２０と指示体との間に形成される静電容量、および、スイッチ回路１９により選択された行方向束配線３０と指示体との間に形成される静電容量を検出し、その検出結果に基づいて指示体のタッチ座標を算出する回路となる。
【００２８】
また、相互容量検出方式のタッチパネル１００の場合、検出処理回路１３は、タッチスクリーン１０への指示体のタッチによって生じた、スイッチ回路１２により選択された列方向束配線２０と行方向束配線３０との間の相互容量の変化を検出し、その検出結果に基づいて指示体のタッチ座標の算出する回路となる。
【００２９】
以下、本実施の形態における列方向束配線２０および行方向束配線３０の構成の詳細を説明する。図４のように、列方向束配線２０と行方向束配線３０との交差領域には、検出用列配線２（太い実線）が配設される列配線ブロック領域ＢＣ１，ＢＣ２と、検出用行配線３（細い実線）が配設される行配線ブロック領域ＢＲ１，ＢＲ２とが、列方向（ｙ方向）および行方向（ｘ方向）に交互に配置されて、チェッカーパターンを成している。すなわち、行配線ブロック領域ＢＲ１，ＢＲ２および列配線ブロック領域ＢＣ１，ＢＣ２はそれぞれ千鳥配置されている。図４には、２つの列配線ブロック領域ＢＣ１，ＢＣ２と２つの列配線ブロック領域ＢＣ１，ＢＣ２のみを示しているが、列方向束配線２０と行方向束配線３０との交差領域には、さらに多くの列配線ブロック領域と行配線ブロック領域が配設される（図６、図７を参照）。
【００３０】
列配線ブロック領域ＢＣ１，ＢＣ２の検出用列配線２の一部は、検出用行配線３と同層の配線層に形成され、検出用列配線２および検出用行配線３と非接続である第１のフローティング配線３Ｆ（細い点線）に置き換えられている。また、行配線ブロック領域ＢＲ１，ＢＲ２の検出用行配線３の一部は、検出用列配線２と同層の配線層に形成され、検出用列配線２および検出用行配線３と非接続である第２のフローティング配線２Ｆ（太い点線）に置き換えられている。これにより、パターンの繰り返し周波数（繰り返し回数）を高くして、検出用列配線２および検出用行配線３のパターンが視認されにくくしている。
【００３１】
図５（ａ）は、列配線ブロック領域ＢＣ１，ＢＣ２を構成する繰り返しパターンＰＣを示す図であり、図５（ａ）は、列配線ブロック領域ＢＣ１，ＢＣ２を構成する繰り返しパターンＰＣを示す図である。図５（ａ）のように、繰り返しパターンＰＣは、検出用列配線２と第１のフローティング配線３Ｆとが、列方向および行方向に交互に並ぶパターンである。図５（ｂ）のように、繰り返しパターンＰＲは、検出用行配線３と第２のフローティング配線２Ｆとが、列方向および行方向に交互に配置されたパターンである。このように、繰り返しパターンＰＣ，ＰＲは、検出用列配線２と同層の配線と検出用行配線３と同層の配線とが交互に配置されたパターンである。ここで、繰り返しパターンＰＣ，ＰＲの繰り返しピッチは互いに等しいものとし、その値をＰとする。
【００３２】
列方向束配線２０を構成する各検出用列配線２は、列方向に電気的な接続を維持しつつ延在する必要がある。そのため、列配線ブロック領域ＢＣ１，ＢＣ２を千鳥配置する場合には、列配線ブロック領域ＢＣ１，ＢＣ２の四隅は、第１のフローティング配線３Ｆではなく検出用列配線２にする必要がある。そのため、列配線ブロック領域ＢＣ１，ＢＣ２の幅は、Ｐ／２×（２Ｎ＋１）としなければならない（Ｎは整数）。
【００３３】
また、行方向束配線３０を構成する各検出用行配線３は、行方向に電気的な接続を維持しつつ延在する必要がある。そのため、行配線ブロック領域ＢＲ１，ＢＲ２を千鳥配置する場合には、行配線ブロック領域ＢＲ１，ＢＲ２の四隅は、第２のフローティング配線２Ｆではなく検出用行配線３にする必要がある。そのため、行配線ブロック領域ＢＲ１，ＢＲ２の幅も、Ｐ／２×（２Ｎ＋１）としなければならない（Ｎは整数）。
【００３４】
本実施の形態では、チェッカーパターンを成すように交互に並べられた列配線ブロック領域ＢＣ１，ＢＣ２および行配線ブロック領域ＢＲ１，ＢＲ２に隣接するように、列方向（平面図の上下方向）の両側もしくは片側、ならびに、行方向（平面図の左右方向）の両側もしくは片側に、補間領域を配置する。
【００３５】
図４では、列配線ブロック領域ＢＣ１，ＢＣ２および行配線ブロック領域ＢＲ１，ＢＲ２の上側に補間領域ＣＣ１、下側に補間領域ＣＣ２、左側に補間領域ＣＲ１、右側に補間領域ＣＲ２を配置した例を示している。補間領域ＣＣ１，ＣＣ２（第１の補間領域）は、列配線ブロック領域ＢＣ１，ＢＣ２と共に列方向束配線２０を構成しており、検出用列配線２の列方向への電気的接続を維持するために設けられる。補間領域ＣＲ１，ＣＲ２（第２の補間領域）は、行配線ブロック領域ＢＲ１，ＢＲ２と共に行方向束配線３０を構成しており、検出用行配線３の列方向への電気的接続を維持するために設けられる。
【００３６】
補間領域ＣＣ１，ＣＣ２，ＣＲ１，ＣＲ２は、列配線ブロック領域ＢＣ１，ＢＣ２および行配線ブロック領域ＢＲ１，ＢＲ２の繰り返しパターンＰＣ，ＰＲと同じように、検出用列配線２と同層の配線と検出用行配線３と同層の配線とが、繰り返しピッチＰで交互に配置されたパターンから成っている。補間領域ＣＣ１，ＣＣ２，ＣＲ１，ＣＲ２を構成する繰り返しパターンを、列配線ブロック領域ＢＣ１，ＢＣ２および行配線ブロック領域ＢＲ１，ＢＲ２の繰り返しパターンＰＣ，ＰＲと同様の構成にすることで、補間領域ＣＣ１，ＣＣ２，ＣＲ１，ＣＲ２内においてもパターンの繰り返し周波数が維持され、パターンが視認されにくくなる。
【００３７】
補間領域ＣＣ１，ＣＣ２，ＣＲ１，ＣＲ２は、隅にフローティング配線が配置されてもよい。そのため、補間領域ＣＣ１，ＣＣ２，ＣＲ１，ＣＲ２の幅は、Ｐ／２×Ｍとすることができ（Ｍは整数）、列配線ブロック領域ＢＣ１，ＢＣ２および行配線ブロック領域ＢＲ１，ＢＲ２の幅よりも設計の自由度が高い。
【００３８】
列方向束配線２０に属する補間領域ＣＣ１，ＣＣ２（第１の補間領域）においては、検出用行配線３と同層の部分は全て第１のフローティング配線３Ｆとし、検出用列配線２と同層の部分は、斜め方向に隣り合う列配線ブロック領域の検出用列配線２の電気的接続を行う箇所のみを検出用列配線２とし、それ以外を第２のフローティング配線２Ｆとする。つまり、補間領域ＣＣ１，ＣＣ２では、少なくとも列配線ブロック領域ＢＣ１，ＢＣ２の頂点に近接する部分に検出用列配線２が配置され、それ以外の部分は全てフローティング配線が配置される。
【００３９】
一方、行方向束配線３０に属する補間領域ＣＲ１，ＣＲ２（第２の補間領域）においては、検出用列配線２と同層の部分は全て第２のフローティング配線２Ｆとし、検出用行配線３と同層の部分は、斜め方向に隣り合う行配線ブロック領域の検出用行配線３の電気的接続を行う箇所のみを検出用行配線３とし、それ以外を第１のフローティング配線３Ｆとする。つまり、補間領域ＣＲ１，ＣＲ２では、少なくとも行配線ブロック領域ＢＲ１，ＢＲ２の頂点に近接する部分に検出用行配線３が配置され、それ以外の部分は全てフローティング配線が配置される。
【００４０】
補間領域ＣＣ１，ＣＣ２において検出用列配線２を配置する箇所、および、補間領域ＣＲ１，ＣＲ２において検出用行配線３を配置する箇所は、少ないほど、検出用行配線３と検出用列配線２との間の寄生容量を小さくできる。よって、タッチの検出感度向上の観点からは、補間領域ＣＣ１，ＣＣ２において検出用列配線２を配置する箇所は、斜め方向に隣り合う列配線ブロック領域の検出用列配線２の電気的接続に最低限必要な箇所のみであることが好ましく、補間領域ＣＲ１，ＣＲ２において検出用行配線３を配置する箇所は、斜め方向に隣り合う行配線ブロック領域の検出用行配線３の電気的接続に最低限必要な箇所のみであることが好ましい。ただし、それらの箇所を増やしたとしても、タッチ位置の検出は可能であるため、当該箇所の数は、必要とされるタッチの検出感度に応じて選択すればよい。
【００４１】
図６は、補間領域の幅をＰ（繰り返しパターンのピッチと同じ）とした場合における、列方向束配線２０と行方向束配線３０との交差領域の構成を示す図である。図示の簡略化のため、検出用列配線２を太線の菱形、検出用行配線３を太線の円で表し、検出用行配線３と同層の第１のフローティング配線３Ｆを細線の丸、検出用列配線２と同層の第２のフローティング配線２Ｆを細線の菱形で表している。また、フローティング配線同士の接続パターンの図示も省略している。
【００４２】
各補間領域には、最低限、補間領域の幅をＰ／２で除算して得られる数だけ、検出用列配線２または検出用行配線３を配置する箇所を設ける必要がある。図６に示すように、列方向束配線２０に属する各補間領域には、少なくとも２箇所ずつ検出用列配線２を配置すれば、千鳥配置された列配線ブロック領域の検出用列配線２の間を電気的接続に接続させることができる。また、行方向束配線３０に属する各補間領域には、少なくとも２箇所ずつ検出用行配線３を配置すれば、千鳥配置された行配線ブロック領域の検出用行配線３の間を電気的接続に接続させることができる。
【００４３】
図７は、補間領域の幅をＰ／２（繰り返しパターンのピッチの半分）とした場合における、列方向束配線２０と行方向束配線３０との交差領域の構成を示す図である。図７のように、列方向束配線２０に属する各補間領域には、少なくとも１箇所ずつ検出用列配線２を配置すれば、千鳥配置された列配線ブロック領域の検出用列配線２の間を電気的接続に接続させることができる。また、行方向束配線３０に属する各補間領域には、少なくとも１箇所ずつ検出用行配線３を配置すれば、千鳥配置された行配線ブロック領域の検出用行配線３の間を電気的接続に接続させることができる。
【００４４】
ただし、図７のように、補間領域の幅をＰ／２の奇数倍にする場合、列方向束配線２０および行方向束配線３０の全体で同じ繰り返しパターンを維持するためには、列配線ブロック領域および行配線ブロック領域の位置をＰ／２だけずらす必要がある。すなわち、列方向に隣接する列配線ブロック領域の位置を行方向にＰ／２だけずらし、行方向に隣接する行配線ブロック領域の位置を列方向にＰ／２だけずらす必要がある。
【００４５】
以上のような構成のタッチスクリーン１０によれば、列方向束配線２０および行方向束配線３０が、幅をＰ／２×Ｍとして設定できる補間領域を含む構造となるため、列方向束配線２０および行方向束配線３０の幅の設計の自由度が向上する。よって、タッチスクリーン１０のセンサ領域のサイズを細かく調整できるようになり、タッチスクリーン１０のセンサ領域のサイズを、表示パネルの画面サイズに合わせて調整できるようになる。
【００４６】
なお、列配線ブロック領域ＢＣ１，ＢＣ２および行配線ブロック領域ＢＲ１，ＢＲ２の繰り返しパターンＰＣ，ＰＲの形状は、図５（ａ），（ｂ）に示したものに限られず、適宜その形状を選択してもよい。
【００４７】
また、本発明は、その発明の範囲内において、実施の形態を適宜、変形、省略することが可能である。
【符号の説明】
【００４８】
１００  タッチパネル、１０  タッチスクリーン、２０  列方向束配線、３０  行方向束配線、１  ベース基板、２  検出用列配線、２Ｆ  第２のフローティング配線、３  検出用行配線、３Ｆ  第１のフローティング配線、４  接続用配線、５  接続用配線、６  引き出し配線、７  引き出し配線、８  端子、１１  ＦＰＣ、１２  スイッチ回路、１３  検出処理回路、１４  コントローラ基板、９１，９２  絶縁膜、ＢＣ１，ＢＣ２  列配線ブロック領域、ＢＲ１，ＢＲ２  行配線ブロック領域、ＣＣ１，ＣＣ２，ＣＲ１，ＣＲ２  補間領域、ＰＣ，ＰＲ  繰り返しパターン、Ｐ  繰り返しピッチ。
【図１】
2015082280.tif 000003
【図２】
2015082280.tif 000004
【図３】
2015082280.tif 000005
【図４】
2015082280.tif 000006
【図５】
2015082280.tif 000007
【図６】
2015082280.tif 000008
【図７】
2015082280.tif 000009